(57)【要約】【課題】利便性を向上させることができる注文受付装置およびプログラムを提供する。【解決手段】メニューのオーダー機能に関する機能情報が複数の領域に配置されたオーダー入力画面を表示する表示制御手段と、隣接する領域の境界を移動する移動手段と、移動した境界を挟んで隣接する領域に配置された機能情報を変倍する変倍手段と、を備えることにより、その利用場面に応じて、メニュー品目ボタンやオーダーリストなど、メニューのオーダー機能に係る情報のレイアウトをユーザが使いたいレイアウトへ自由に変更することができるので、利便性を向上させることができる。【選択図】図１
2010191935.tif 000002
【特許請求の範囲】
【請求項１】
メニューのオーダー機能に関する機能情報が複数の領域に配置されたオーダー入力画面を表示する表示制御手段と、
隣接する領域の境界を移動する移動手段と、
移動した境界を挟んで隣接する領域に配置された前記機能情報を変倍する変倍手段と、
を備えたことを特徴とする注文受付装置。
【請求項２】
前記表示制御手段は、隣接する領域の境界に、当該境界の移動位置を指定するための指定線を表示し、
前記移動手段は、前記指定線により指定された移動位置に、隣接する領域の境界を移動することを特徴とする請求項１に記載の注文受付装置。
【請求項３】
前記表示制御手段は、前記移動手段により移動する境界に表示された前記指定線を、他の指定線と異なる特殊画像で表示することを特徴とする請求項２に記載の注文受付装置。
【請求項４】
隣接する領域の境界の移動を許可する移動モードと、隣接する領域の境界を移動させることができない固定モードと、を有し、
前記移動手段は、前記移動モードの間のみ、隣接する領域の境界を移動することを特徴とする請求項１から３のいずれか一に記載の注文受付装置。
【請求項５】
前記表示制御手段は、ボタンまたはキーを前記機能情報として複数の領域に配置された前記オーダー入力画面を表示し、
前記変倍手段は、前記ボタンまたは前記キーの縦横比を維持したまま前記ボタンまたは前記キーを変倍することを特徴とする請求項１から４のいずれか一に記載の注文受付装置。
【請求項６】
コンピュータを、
メニューのオーダー機能に関する機能情報が複数の領域に配置されたオーダー入力画面を表示する表示制御手段と、
隣接する領域の境界を移動する移動手段と、
移動した境界を挟んで隣接する領域に配置された前記機能情報を変倍する変倍手段と、
として機能させるためのプログラム。
【発明の詳細な説明】
【技術分野】
【０００１】
本発明は、レストラン等の飲食店に設置され、お客様の案内情報やメニューのオーダー情報等を入力して接客業務を支援するための注文受付装置およびプログラムに関する。
【背景技術】
【０００２】
例えばファミリーレストランや居酒屋等の多くの飲食店では、飲食メニューの注文から会計までを一元的に管理することが可能な注文管理システムが構築されている（特許文献１参照）。特許文献１に開示されているシステムは、代金の会計場所であるレジに設置された電子式キャッシュレジスタまたはＰＯＳ（Point  Of  Sales）端末等の会計装置と、会計装置から送信された各種情報の管理等を実行するステーションと、会計装置に接続されていて注文伝票を印字発行する伝票発行用プリンタと、調理指示票を印刷出力するキッチンプリンタと、から構成されている。ステーションと、伝票発行機、キッチンプリンタ及び会計装置とは、ＬＡＮ（Local  Area  Network）等の通信回線を介して接続されている。
【発明の概要】
【発明が解決しようとする課題】
【０００３】
しかしながら、特許文献１に開示されている会計装置によれば、オーダー画面上におけるメニュー品目ボタンやオーダーリストなどのレイアウトが予め決められているため、ユーザが使いたいレイアウトへ自由に変更することができず、利便性が低い、という課題がある。
【０００４】
本発明は、上記に鑑みてなされたものであって、利便性を向上させることができる注文受付装置およびプログラムを提供することを目的とする。
【課題を解決するための手段】
【０００５】
上述した課題を解決し、目的を達成するために、本発明は、メニューのオーダー機能に関する機能情報が複数の領域に配置されたオーダー入力画面を表示する表示制御手段と、隣接する領域の境界を移動する移動手段と、移動した境界を挟んで隣接する領域に配置された前記機能情報を変倍する変倍手段と、を備えたことを特徴とする。
【０００６】
また、本発明は、コンピュータを、メニューのオーダー機能に関する機能情報が複数の領域に配置されたオーダー入力画面を表示する表示制御手段と、隣接する領域の境界を移動する移動手段と、移動した境界を挟んで隣接する領域に配置された前記機能情報を変倍する変倍手段と、として機能させる。
【発明の効果】
【０００７】
本発明にかかる注文受付装置およびプログラムは、その利用場面に応じて、メニュー品目ボタンやオーダーリストなど、メニューのオーダー機能に係る情報のレイアウトをユーザが使いたいレイアウトへ自由に変更することができるので、利便性を向上させることができる、という効果を奏する。
【図面の簡単な説明】
【０００８】
【図１】図１は、接客支援システムの全体構成を概略的に示すシステム構成図である。
【図２】図２は、情報端末の電気的接続を示すブロック図である。
【図３】図３は、ステーションの電気的接続を示すブロック図である。
【図４】図４は、情報端末及びステーションがアクセス可能な部門ファイルのファイル構造を示す模式図である。
【図５】図５は、情報端末及びステーションがアクセス可能なＰＬＵファイルのファイル構造を示す模式図である。
【図６】図６は、情報端末の機能構成を示すブロック図である。
【図７】図７は、オーダー入力画面を例示的に示す正面図である。
【図８】図８は、特殊画像で表示されたスライドバーを含むオーダー入力画面を例示的に示す正面図である。
【図９】図９は、レイアウト変更処理の流れを示すフローチャートである。
【図１０】図１０は、オーダー入力画面を例示的に示す図である。
【発明を実施するための形態】
【０００９】
以下に添付図面を参照して、この発明にかかる注文受付装置およびプログラムの最良な実施の形態を詳細に説明する。
【００１０】
本発明の実施の一形態を図１ないし図１０に基づいて説明する。本実施の形態は、来店したお客様を接客フロアに配備されているテーブルへご案内し、オーダーを受け付け、給仕（配膳）するという接客の全ての流れの中で、そのような接客業務を支援する接客支援システムの情報端末を注文受付装置として適用した例である。
【００１１】
図１は、接客支援システムの全体構成を概略的に示すシステム構成図である。図１に示す接客支援システム１０１は、接客フロア及びチェックアウトカウンタに設置されている情報端末１０２、キッチンに設置されるキッチンプリンタ１０３、そして、店舗のバックヤード等に設置され接客支援システム１０１全体を制御するサーバとしてのステーション１０５等を備えている。
【００１２】
情報端末１０２は、接客フロアに設置されているものであってもチェックアウトカウンタに設置されているものであっても、その基本的な構造及び機能は変わらない。相違するのは、その使用態様である。つまり、接客フロアに設置されている情報端末１０２は、お客様の案内業務、オーダーの受け付け業務及び給仕（配膳）業務という各業務を支援するのに対して、チェックアウトカウンタに設置されている情報端末１０２は、それらの業務に加えて会計業務をも支援する。つまり、チェックアウトカウンタに設置されている情報端末１０２は、いわゆるＰＯＳ端末としても機能する。このようなことから、情報端末１０２は、接客フロアに設置されているものであってもチェックアウトカウンタに設置されているものであっても、共にレシートや伝票発行用のプリンタ１０６が接続されているのに対して、チェックアウトカウンタに設置されている情報端末１０２は、プリンタ１０６に加えて客面表示装置１０７も接続されている。
【００１３】
情報端末１０２は、本体部１０８の上面に表示デバイスとしての液晶ディスプレイ１０９が載置されて構成されている。液晶ディスプレイ１０９には、その表示面の上に入力デバイスとしてのタッチパネル１１０が積層配置されている。プリンタ１０６は、情報端末１０２の近傍に隣接設置されており、例えばＵＳＢ等のインターフェースを介して情報端末１０２に接続されている。
【００１４】
客面表示装置１０７は、一例として、７セグメント表示をするＬＥＤ表示装置であり、情報端末１０２の本体部１０８の上面に載置されて設置されている。客面表示装置１０７も、プリンタ１０６と同様に、ＵＳＢ等のインターフェースを介して情報端末１０２に接続されている。
【００１５】
キッチンプリンタ１０３は、図１に示すように、その上面が操作表示面１１１となっており、操作表示面１１１にキーボード１１２や表示器１１３が配置されている。キッチンプリンタ１０３は、例えばサーマルプリンタ（図示せず）を内蔵しており、キッチンで働く調理人のための調理指示伝票（図示せず）を印字発行する。調理指示伝票は、正面に配置された伝票発行口１１４より発行される。
【００１６】
ステーション１０５は、図１に示すように、小型の液晶ディスプレイ１１６及びキーボード１１７を備えており、各情報端末１０２から送信された各種の情報の管理等を実行する。
【００１７】
以上概略説明した情報端末１０２、キッチンプリンタ１０３、及びステーション１０５は、ＬＡＮを介して互いにデータ送受信自在に接続されている。そして、情報端末１０２は、お客様をテーブルに案内する案内情報やメニューオーダーについてのオーダー情報の入力が可能であり、入力されたオーダー情報はＬＡＮ経由でステーション１０５に送信され、ステーション１０５から更にＬＡＮ経由でキッチンプリンタ１０３へと送信される。キッチンプリンタ１０３は、受信したオーダー情報に応じた内容の伝票を印字発行する。キッチンプリンタ１０３が印字発行する伝票は、前述したように、注文されたメニュー品目をキッチンの調理人に指示するための調理指示伝票である。ＰＯＳ端末として機能する情報端末１０２は、会計処理を実行する。
【００１８】
図２は、情報端末１０２の電気的接続を示すブロック図である。図２に示すように、情報端末１０２には、マイクロコンピュータ２０１が備えられており、このマイクロコンピュータ２０１が各部を駆動制御する。マイクロコンピュータ２０１は、各部を集中的に制御するＣＰＵ２０２に、バスライン２０３を介して、制御プログラム等の固定的情報を予め記憶するＲＯＭ２０４と、各種情報を書き換え自在に記憶してワークエリア等として機能するＲＡＭ２０５とが接続されて構成されている。したがって、マイクロコンピュータ２０１は、情報処理を実行する情報処理部を構成する。
【００１９】
マイクロコンピュータ２０１には、バスライン２０３を介して、タッチパネルコントローラ２０６、表示コントローラ２０７、ＨＤＤ２０８、インターフェース２０９及び通信インターフェース２１０が接続されている。タッチパネルコントローラ２０６は、タッチパネル１１０からの入力信号をマイクロコンピュータ２０１に取り込む。表示コントローラ２０７は、画像データに基づいて液晶ディスプレイ１０９を駆動制御し、画像データを液晶ディスプレイ１０９に表示させる。インターフェース２０９は、プリンタ１０６や客面表示装置１０７をマイクロコンピュータ２０１に接続させるためのインターフェースであり、ＵＳＢ等によって構成されている。通信インターフェース２１０は、マイクロコンピュータ２０１をＬＡＮ経由で他の機器とデータ通信可能にするためのインターフェースである。
【００２０】
ＨＤＤ２０８には、ＯＳ、コンピュータプログラム、各種ファイル等がインストールされている。
【００２１】
図３は、ステーション１０５の電気的接続を示すブロック図である。図３に示すように、ステーション１０５には、マイクロコンピュータ３０１が備えられており、このマイクロコンピュータ３０１が各部を駆動制御する。マイクロコンピュータ３０１は、各部を集中的に制御するＣＰＵ３０２に、バスライン３０３を介して、制御プログラム等の固定的情報を予め記憶するＲＯＭ３０４と、各種情報を書き換え自在に記憶してワークエリア等として機能するＲＡＭ３０５とが接続されて構成されている。したがって、マイクロコンピュータ３０１は、情報処理を実行する情報処理部を構成する。
【００２２】
マイクロコンピュータ３０１には、バスライン３０３を介して、表示／キーボードコントローラ３０６とＨＤＤ３０７と通信インターフェース３０８とが接続されている。表示／キーボードコントローラ３０６は、画像データに基づいて液晶ディスプレイ１１６を駆動制御することで当該画像データを液晶ディスプレイ１１６に表示させ、また、キーボード１１７からの入力信号をマイクロコンピュータ３０１に取り込む。通信インターフェース３０８は、マイクロコンピュータ３０１をＬＡＮ経由で他の機器とデータ通信可能にするためのインターフェースである。
【００２３】
ＨＤＤ３０７には、ＯＳ、コンピュータプログラム、各種ファイル等がインストールされている。
【００２４】
図４は、情報端末１０２及びステーション１０５がアクセス可能な部門ファイル４０１のファイル構造を示す模式図である。部門ファイル４０１は、個々の情報端末１０２のＨＤＤ２０８とステーション１０５のＨＤＤ３０７とにインストールされている。
【００２５】
部門ファイル４０１は、部門を特定する２桁の部門番号４０１ａに対応させて、部門４０１ｂ、タグ位置４０１ｃ、及び備考４０１ｄを登録している。部門番号４０１ａは、一例として、
０１：ドリンク
０２：デザート
０３：和膳
０４：和洋食
０５：丼もの
０６：鍋もの
０７：うどん＆そば
０８：一品料理
０９：健菜とサラダ
という部門を登録している。部門４０１ｂには、部門の部門名が登録されている。タグ位置４０１ｃには、部門タグ欄Ｄ１１ａ（図７参照）において部門名を表示するメインボタンＤ１１ｂおよびサブボタンＤ１１ｃの配置が登録されている。本実施の形態では、タグ位置４０１ｃには、メインボタンＤ１１ｂおよびサブボタンＤ１１ｃの位置を示す行および列が、メインボタンＤ１１ｂおよびサブボタンＤ１１ｃの配置として登録されているものとする。備考４０１ｄは、例えば情報管理用に様々な情報を書き込める欄である。
【００２６】
図５は、情報端末１０２及びステーション１０５がアクセス可能なＰＬＵファイル４０２のファイル構造を示す模式図である。ＰＬＵ（Price  Look  Up）ファイル４０２は、個々の情報端末１０２のＨＤＤ２０８とステーション１０５のＨＤＤ３０７とにインストールされている。
【００２７】
ＰＬＵファイル４０２は、メニュー品目を特定するコード４０２ａに対応させて、部門４０２ｂ、画像リンク４０２ｃ、メニュー名４０２ｄ、単価４０２ｅ、割付４０２ｆを登録している。部門４０２ｂは、部門ファイル４０１中の部門４０１ｂを表している。画像リンク４０２ｃは、メニュー品目欄Ｄ１２（図７参照）のメニューボタンＤ１２ａに表示される画像データに対するリンクを定義している。これらの画像データは、個々の情報端末１０２のＨＤＤ２０８とステーション１０５のＨＤＤ３０７とにインストールされている。メニュー名４０２ｄには、メニュー品目の品名が登録されている。また、単価４０２ｅには、メニュー品目の単価が登録されている。割付４０２ｆには、メニュー品目のメニュー品目欄Ｄ１２ａ（図７参照）におけるメニューボタンＤ１２ａの割付位置が登録されている。本実施の形態では、割付４０２ｆには、メニュー品目欄Ｄ１２ａにおけるメニューボタンＤ１２ａの行および列が、メニューボタンＤ１２の割付位置として登録されているものとする。
【００２８】
例えば、図４及び図５を参照すると分かるように、メニュー品目を特定するコード「０００１」は、「ドリンク」という部門の「ブレンドコーヒー」を定義しており、「￥３５０」という単価を設定している。コード「０００２」は、「ドリンク」という部門の「アイスコーヒー」を定義しており、「￥３５０」という単価を設定している。
【００２９】
次いで、情報端末１０２のＨＤＤ２０８にインストールされたＯＳおよびコンピュータプログラムによりマイクロコンピュータ２０１が実行する処理の内、本実施の形態の情報端末１０２が有している特徴的な処理について説明する。
【００３０】
本実施の形態の情報端末１０２で実行されるＯＳおよびコンピュータプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３１】
さらに、本実施の形態の情報端末１０２で実行されるＯＳおよびコンピュータプログラムを、インターネット等のネットワークに接続されたコンピュータ上に格納し、ネットワーク経由でダウンロードさせることにより提供するように構成しても良い。また、本実施の形態の情報端末１０２で実行されるＯＳおよびコンピュータプログラムをインターネット等のネットワーク経由で提供または配布するように構成しても良い。
【００３２】
本実施の形態にかかる情報端末１０２で実行されるコンピュータプログラムは、図６に示すような各部（表示制御部８０１、移動部８０２、変倍部８０３）を含むモジュール構成となっており、実際のハードウェアとしてはマイクロコンピュータ２０１のＣＰＵ２０２がＨＤＤ２０８からコンピュータプログラムを読み出して実行することにより上記各部がＲＡＭ２０５上にロードされ、表示制御部８０１、移動部８０２、変倍部８０３がＲＡＭ２０５上に生成されるようになっている。
【００３３】
表示制御部８０１は、図７に示すように、部門タグ欄Ｄ１１ａ内のメインボタンＤ１１ｂおよびサブボタンＤ１１ｃ、メニュー品目欄Ｄ１２ａ内のメニューボタンＤ１２ｂ、オーダーリストＤ１３ａ、ボタンＤ１３ｂ、記号ボタンＤ１３ｃ、業務指定キーＤ１４ａ、ファンクションキーＤ１５ａ、お客様情報入力ボタンＤ１９ａ、お客様情報欄Ｄ１９ｂ、お客様情報追加ボタンＤ１９ｃなど、メニューのオーダー機能に関する機能情報が複数の領域Ｄ１１〜Ｄ１５，Ｄ１９に配置されたオーダー入力画面Ｄを液晶ディスプレイ１０９に表示する。
【００３４】
部門タグ欄Ｄ１１ａには、部門ファイル４０１の部門４０１ｂに登録されている部門名が表示されたメインボタンＤ１１ｂ（「グランドメニュー」等）が、１行６列で配置されている。さらに、領域Ｄ１１に配置された部門タグ欄Ｄ１１ａには、部門ファイル４０１の部門番号４０１ａに対応して部門４０１ｂに登録されている部門名が表示されたサブボタンＤ１１ｃ（「和膳」等）が、２行５列で配置されている。なお、メインボタンＤ１１ｂおよびサブボタンＤ１１ｃは、タッチパネル１１０によるタッチ指定が可能なオブジェクトとして配置されている。
【００３５】
領域Ｄ１２に配置されたメニュー品目欄Ｄ１２ａには、初期状態では、ＰＬＵファイル４０２のコード４０２ａに対応して、画像リンク４０２ｃで定義されているリンク先の画像データとメニュー名４０２ｄとを含むメニューボタンＤ１２ｂが、４行５列で配置されている。なお、メニューボタンＤ１２ｂも、メインボタンＤ１１ｂおよびサブボタンＤ１１ｃと同様に、タッチパネル１１０によるタッチ指定が可能なオブジェクトとして配置されている。
【００３６】
領域Ｄ１３には、タッチパネル１１０によってオーダー入力画面Ｄ上でタッチ指定されたメニュー品目、オーダー数および金額（単価×オーダー数）の一覧を含むオーダーリストＤ１３ａが配置されている。また、領域Ｄ１３には、オーダーリストＤ１３ａに含まれるメニュー品目の取消や追加などを実行するためのボタンＤ１３ｂ（「取消」、「同じメニュー追加」等）が、１行２列で配置されている。さらに、領域Ｄ１３には、オーダーリストＤ１３ａに含まれるメニュー品目のうち、取消や追加などの対象のメニュー品目を示すハイライトの移動などを実行するための記号ボタンＤ１３ｃ（「∧」等）が、１行４列で配置されている。
【００３７】
領域Ｄ１４には、会計処理の実行、オーダー送信の実行等の各種の業務の実行を指定するため業務指定キーＤ１４ａ（「会計」、「オーダー送信」等）が、８行１列で、タッチパネル１１０によるタッチ指定が可能なオブジェクトとして配置されている。
【００３８】
領域Ｄ１５には、オーダー数を増やす処理の実行、オーダー数を減らす処理の実行等の各種のファンクションの実行を指定するためのファンクションキーＤ１５ａ（「数量増」、「数量減」等）が、２行５列で、タッチパネル１１０によるタッチ指定が可能なオブジェクトとして配置されている。
【００３９】
領域Ｄ１９には、オーダーを受け付けるお客様情報を入力するためのお客様情報入力ボタンＤ１９ａ（「テーブルＮｏ」、「人数」、「伝票」、「客層」等）が、１行４列で、タッチパネル１１０によるタッチ指定が可能なオブジェクトとして配置されている。また、領域Ｄ１９には、お客様情報入力ボタンＤ１９ａにより入力されたお客様情報欄Ｄ１９ｂ（「東京レストランクラブ会員」等）が配置されている。さらに、領域Ｄ１９には、お客様情報を追加するためのお客様情報追加ボタンＤ１９ｃなどが、タッチパネル１１０によるタッチ指定が可能なオブジェクトとして配置されている。
【００４０】
なお、オーダー入力画面Ｄ内の各領域に配置された各ボタン（または各キー）の枠および各ボタン内の画像や図は、予め設定された縦横比で表示されるものとする。また、オーダー入力画面Ｄ内の各領域に配置された各ボタン（または各キー）は、領域毎に予め設定された行数および列数に従って、配置されているものとする。
【００４１】
このようなオーダー入力画面Ｄにおいて、メニュー品目を入力するに際しては、所望のサブボタンＤ１１ｃのタッチ指定（クリック）によって、「ドリンク」、「デザート」、「和膳」、「和洋食」、「丼もの」、「鍋もの」、「うどん＆そば」、「一品料理」、「健菜とサラダ」のうちから所望の部門の選択が可能である。例えば、サブボタンＤ１１ｃのうち、「一品料理」のサブボタンＤ１１ｃをタッチ指定（クリック）した場合には、図７に例示するような「一品料理」についてのオーダー入力画面Ｄが表示される。
【００４２】
また、表示制御部８０１は、図７に示すように、領域Ｄ１３と領域Ｄ１１，Ｄ１２との境界、領域Ｄ１１と領域Ｄ１２との境界、および領域Ｄ１１，Ｄ１２，Ｄ１５と領域Ｄ１４との境界上に、それぞれの境界の移動位置を指定する指定線であるスライドバーＤ１６〜Ｄ１８が配置されたオーダー入力画面Ｄを液晶ディスプレイ１０９に表示する。なお、スライドバーＤ１６〜Ｄ１８は、タッチパネル１１０によるタッチ指定が可能なオブジェクトとして含まれる。
【００４３】
ユーザは、移動位置を指定する境界上に表示されたスライドバーＤ１６〜Ｄ１８にタッチ指定したまま、スライドバーＤ１６〜Ｄ１８を方向Ａ，Ｂまたは方向Ｘ，Ｙに移動させ（ドラッグ）、スライドバーＤ１６〜Ｄ１８を所望の移動位置に移動させた状態でタッチ指定を解除（ドロップ）することにより、ドロップした位置を移動位置として指定することができる。
【００４４】
例えば、ユーザは、部門タグ欄Ｄ１１ａに配置されたメインボタンＤ１１ｂおよびサブボタンＤ１１ｃをタッチ指定してオーダーするメニュー品目の部門を選択する場合、スライドバーＤ１７にタッチ指定したまま、スライドバーＤ１７を方向Ｙに移動させ、スライドバーＤ１７を所望の移動位置に移動させた状態でタッチ指定を解除する。
【００４５】
また、ユーザは、メニュー品目欄Ｄ１２ａに配置されたメニューボタンＤ１２ｂをタッチ指定してオーダーするメニュー品目を選択する場合、スライドバーＤ１７にタッチ指定したまま、スライドバーＤ１７を方向Ｘに移動させ、スライドバーＤ１７を所望の移動位置に移動させた状態でタッチ指定を解除する。
【００４６】
さらに、ユーザは、部門タグ欄Ｄ１１ａに配置されたメインボタンＤ１１ｂおよびサブボタンＤ１１ｃをタッチ指定してオーダーするメニュー品目の部門を選択する場合、またはメニュー品目欄Ｄ１２ａに配置されたメニューボタンＤ１２ｂをタッチ指定してオーダーするメニュー品目を選択する場合、スライドバーＤ１６にタッチ指定したまま、スライドバーＤ１６を方向Ａに移動させ、スライドバーＤ１６を所望の移動位置に移動させた状態でタッチ指定を解除する。なお、ユーザは、部門タグ欄Ｄ１１ａに配置されたメインボタンＤ１１ｂおよびサブボタンＤ１１ｃをタッチ指定してオーダーするメニュー品目の部門を選択する場合、またはメニュー品目欄Ｄ１２ａに配置されたメニューボタンＤ１２ｂをタッチ指定してオーダーするメニュー品目を選択する場合、スライドバーＤ１８にタッチ指定したまま、スライドバーＤ１８を方向Ｂに移動させ、スライドバーＤ１８を所望の移動位置に移動させた状態でタッチ指定を解除しても良い。
【００４７】
さらに、ユーザは、オーダーリストＤ１３ａに含まれるメニュー品目の取消や追加やお客様情報入力ボタンＤ１９ａをタッチ指定してお客様情報の入力を行う場合、スライドバーＤ１６にタッチ指定したまま、スライドバーＤ１６を方向Ｂに移動させ、スライドバーＤ１６を所望の移動位置に移動させた状態でタッチ指定を解除する。
【００４８】
さらに、ユーザは、業務指定キーＤ１４ａにより各種の業務の実行を指定する場合、スライドバーＤ１８にタッチ指定したまま、スライドバーＤ１８を方向Ａに移動させ、スライドバーＤ１８を所望の移動位置に移動させた状態でタッチ指定を解除する。
【００４９】
なお、本実施の形態では、スライドバーＤ１６〜Ｄ１８が配置されたオーダー入力画面Ｄを液晶ディスプレイ１０９に表示したが、境界の移動位置を指定することができる画像であれば、これに限定するものではない。
【００５０】
さらに、表示制御部８０１は、スライドバーＤ１６，Ｄ１７，Ｄ１８のうち、移動する境界に表示されたスライドバーの表示を、他のスライドバーの表示（例えば、細線、グレーアウトなど）とは異なる特殊画像（例えば、太線や黄色線など）で表示する。
【００５１】
図８は、特殊画像で表示されたスライドバーを含むオーダー入力画面を例示的に示す正面図である。表示制御部８０１は、図８に示すように、移動する境界に表示されたスライドバーＤ１６がタッチ指定されると、スライドバーＤ１６の表示を細線から太線に変更する。
【００５２】
また、本実施の形態にかかる情報端末１０２は、移動位置の指定を許可する移動モードと、スライドバーＤ１６，Ｄ１７，Ｄ１８が操作による移動位置の指定ができない固定モードと、を有するものとする。そして、表示制御部８０１は、スライドバーＤ１６，Ｄ１７，Ｄ１８がクリックされると、固定モードから移動モードへと移行するものとする。したがって、表示制御部８０１は、情報端末１０２が移動モードに移行している間のみ、スライドバーＤ１６，Ｄ１７，Ｄ１８のタッチ指定に応じて、当該スライドバーＤ１６，Ｄ１７，Ｄ１８を特殊画像で表示する。これにより、ユーザがスライドバーＤ１６，Ｄ１７，Ｄ１８を操作することを意図せずにスライドバーＤ１６，Ｄ１７，Ｄ１８に触れた場合に、移動位置が指定され、オーダー入力画面Ｄのレイアウトが変わるなどの誤動作が発生することを防止する。
【００５３】
また、移動位置の指定が可能な移動モードと移動位置が指定できない固定モードとを切り替えるための切替ボタン（図示しない）を用いて、モードの切り替えを行っても良い。
【００５４】
次に、上述したようなオーダー入力画面Ｄのレイアウト変更処理について説明する。図９は、レイアウト変更処理の流れを示すフローチャートである。図９に示すように、移動部８０２は、移動モードに切り替えられ、スライドバーＤ１６〜Ｄ１８の何れか一つがドラッグアンドドロップされて境界の移動位置が指定されるまで待機する（ステップＳ１１０１：Ｎｏ）。そして、移動部８０２は、スライドバーＤ１６〜Ｄ１８の何れか一つがドラッグアンドドロップされて境界の移動位置が指定されたと判定した場合（ステップＳ１１０１：Ｙｅｓ）、指定された移動位置に、ドラッグアンドドロップされた境界（隣接する領域の境界）を移動する（ステップＳ１１０２）。例えば、移動部８０２は、図７に示すスライドバーＤ１６の位置から方向Ｂにずれた移動位置が指定された場合、スライドバーＤ１６が配置された境界を挟んで隣接する領域Ｄ１３，Ｄ１９を方向Ｂに向って拡大するとともに、領域Ｄ１１，Ｄ１２，Ｄ１５を方向Ｂに向って縮小することにより、領域Ｄ１３，Ｄ１９と領域Ｄ１１，Ｄ１２，Ｄ１５との境界を、移動位置に移動させる。
【００５５】
さらに、変倍部８０３は、移動部８０２により移動した境界を挟んで隣接する領域に配置された機能情報を変倍する（ステップＳ１１０３）。図１０は、オーダー入力画面を例示的に示す図である。変倍部８０３は、図７に示すオーダー入力画面Ｄにおける領域Ｄ１３，Ｄ１９と領域Ｄ１１，Ｄ１２，Ｄ１５との境界が方向Ｂに移動した場合、領域Ｄ１３，Ｄ１９に配置されたオーダーリストＤ１３ａ、ボタンＤ１３ｂ、記号ボタンＤ１３ｃ、お客様情報入力ボタンＤ１９ａ、お客様情報欄Ｄ１９ｂ、およびお客様情報追加ボタンＤ１９ｃを拡大するとともに、領域Ｄ１１，Ｄ１２，Ｄ１５に配置されたメインボタンＤ１１ｂ、サブボタンＤ１１ｃ、メニューボタンＤ１２ｂ、およびファンクションキーＤ１５ａを縮小する。より具体的には、変倍部８０３は、ボタンＤ１３ｂ、記号ボタンＤ１３ｃ、お客様情報入力ボタンＤ１９ａ、およびお客様情報追加ボタンＤ１９ｃそれぞれの枠および各ボタン内の画像や図を、移動した境界で区切られる領域Ｄ１３，Ｄ１９に合せてかつ予め設定された縦横比を維持したまま変倍するための変倍率を算出する。次に、変倍部８０３は、算出した変倍率に従って、ボタンＤ１３ｂ、記号ボタンＤ１３ｃ、お客様情報入力ボタンＤ１９ａ、およびお客様情報追加ボタンＤ１９ｃそれぞれの枠および各ボタン内の画像や図を拡大する。さらに、変倍部８０３は、オーダーリストＤ１３ａに含まれるメニュー名（例えば、「枝豆」、「大ジョッキ」など）や合計点数（例えば、１５点）と、その金額（例えば、「５９０」、「１，３９０」など）や合計金額（例えば、５，８６０円）との間のスペースを、移動した境界で区切られる領域Ｄ１３に合せて変倍するための変倍率を算出する。次に、変倍部５０３は、算出した変倍率に従って、オーダーリストＤ１３ａに含まれるメニュー名（例えば、「枝豆」、「大ジョッキ」など）や合計点数（例えば、１５点）と、その金額（例えば、「５９０」、「１，３９０」など）や合計金額（例えば、５，８６０円）との間のスペースを拡大する。さらに、変倍部８０３は、お客様情報欄ｄ１９ｂ（例えば、「東京レストランクラブ会員」など）と、お客様情報追加ボタンＤ１９ｃとの間のスペースを、移動した境界で区切られる領域Ｄ１９に合せて変倍するための変倍率を算出する。次に、変倍部５０３は、算出した変倍率に従って、お客様情報欄ｄ１９ｂ（例えば、「東京レストランクラブ会員」など）と、お客様情報追加ボタンＤ１９ｃとの間のスペースを拡大する。また、変倍部８０３は、メインボタンＤ１１ｂ、サブボタンＤ１１ｃ、メニューボタンＤ１２ｂ、およびファンクションキーＤ１５ａそれぞれの枠および各ボタン（またはキー）内の画像や図を、移動した境界で区切られる領域Ｄ１１，Ｄ１２，Ｄ１５に合せてかつ予め設定された縦横比を維持したまま変倍するための変倍率を算出する。次に、変倍部５０３は、算出した変倍率に従って、メインボタンＤ１１ｂ、サブボタンＤ１１ｃ、メニューボタンＤ１２ｂ、およびファンクションキーＤ１５ａそれぞれの枠および各ボタン（またはキー）内の画像や図を縮小する。
【００５６】
また、本実施の形態では、変倍部８０３は、オーダー入力画面Ｄ内の各領域に配置されたボタン（または各キー）を、領域毎に予め設定された行数および列数のまま、変倍するものとする。例えば、変倍部８０３は、領域Ｄ１２のメニュー品目欄Ｄ１２ａに配置されたメニューボタンＤ１２ｂを変倍する場合、予め設定された行数および列数（４行５列）のまま、各メニューボタンＤ１２ｂを変倍する。
【００５７】
また、本実施の形態では、変倍部８０３は、オーダーリストＤ１３ａやお客様情報欄Ｄ１９ｂを変倍する場合、例えば、オーダーリストＤ１３ａに含まれるメニュー名と、その金額との間のスペースを変倍しているが、これに限定するものではなく、オーダーリストＤ１３ａやお客様情報欄Ｄ１９ｂに含まれる情報（メニュー名、オーダー点数、金額など）から、重要度の低い情報（例えば、メニュー名やオーダー点数）を追加または削除することによりオーダーリストＤ１３ａやお客様情報欄Ｄ１９ｂを変倍しても良い。
【００５８】
なお、本実施の形態では、変倍部８０３は、メインボタンＤ１１ｂ、サブボタンＤ１１ｃ、メニューボタンＤ１２ｂ、オーダーリストＤ１３ａ、ボタンＤ１３ｂ、記号ボタンＤ１３ｃ、業務指定キーＤ１４ａ、ファンクションキーＤ１５ａ、お客様情報入力ボタンＤ１９ａ、お客様情報欄Ｄ１０ｂ、お客様情報追加ボタンＤ１９ｃなどの機能情報を変倍する場合、その機能情報内に表示された文字のフォントは変更しないものとする。
【００５９】
さらに、変倍部８０３は、オーダー入力画面Ｄに配置される図示しない初期画面ボタンがタッチ指定された場合、オーダー入力画面Ｄの領域Ｄ１１，Ｄ１２，Ｄ１３，Ｄ１４，Ｄ１５，Ｄ１９に配置された機能情報を、変倍前のサイズ（図７に示す）に戻すものとする。
【００６０】
このように本実施の形態によれば、スライドバーＤ１６，Ｄ１７，Ｄ１８を操作することにより、情報端末１０２の利用場面に応じて、メニューボタンＤ１２ｂやオーダーリストＤ１３ａなど、メニューのオーダー機能に係る情報のレイアウトをユーザが使いたいレイアウトへ自由に変更することができるので、ユーザが視覚的・対話的・直感的にレイアウトを修正可能な利便性の高いオーダー入力画面Ｄを提供することができる。
【符号の説明】
【００６１】
１０２  情報端末
８０１  表示制御部
８０２  移動部
８０３  変倍部
Ｄ  オーダー入力画面
Ｄ１１，Ｄ１２，Ｄ１３，Ｄ１４，Ｄ１５  領域
Ｄ１６，Ｄ１７，Ｄ１８  スライドバー
【先行技術文献】
【特許文献】
【００６２】
【特許文献１】特開２００８−２９９８２１公報
【図１】
2010191935.tif 000003
【図２】
2010191935.tif 000004
【図３】
2010191935.tif 000005
【図４】
2010191935.tif 000006
【図５】
2010191935.tif 000007
【図６】
2010191935.tif 000008
【図７】
2010191935.tif 000009
【図８】
2010191935.tif 000010
【図９】
2010191935.tif 000011
【図１０】
2010191935.tif 000012